(57)【要約】【課題】      網状体でありながら地面に置いた時に潰れにくく、また折り畳みが出来る釣り用魚入れを提供することである。【解決手段】  魚入れ本体１は網状体αで円筒状に形成され、上面側に丸形の開口１ａを有し、蓋体２を開けた時魚の出し入れが出来るようになっている。  容器を構成する魚入れ本体１の網状体αは、合成樹脂繊維の網の表面を溶融させた合成樹脂又はゴムで被覆してこれを硬化させて表面層を形成し、柔軟性を有し折り曲げが可能であるが繊維間のずれが生じないようになっている。  魚入れ本体１の側面１ｂには、上下に延びる複数の側面フレ−ム７が形成され、側面フレ−ム７は上部フレ−ム５と下部フレ−ム６に達しないように形成され上部フレ−ム５と下部フレ−ム６に対し間隙δ、εを有して配されている。【選択図】        図３
2007060971.tif 000002
【特許請求の範囲】
【請求項１】
少なくとも上部フレ−ムを有し、網状体からなる釣り用魚入れの側面に上下方向に延びる側面フレ−ムを設け、前記側面フレ−ムは上部フレ−ムに間隙を有して配されていることを特徴とする釣り用魚入れ。
【請求項２】
側面フレ−ムは、可撓性を有し、かつ、網状体より硬く形成したことを特徴とする請求項１記載の釣り用魚入れ。
【請求項３】
側面フレ−ムは魚入れ本体の内側に設けたことを特徴とする請求項１または２記載の釣り用魚入れ。
【発明の詳細な説明】
【技術分野】
【０００１】
本発明は、網状体からなる釣り用魚入れの改良に関する。
【背景技術】
【０００２】
従来の魚入れ容器は、びく、スカリなどが用いられており、多くは網状体で構成されている。
これらの魚入れはロ−プで吊して水中に入れて魚を生かしておけるようになっている。
特許文献１は上下フレ−ムと側面フレ−ムが連結されており、縦棧で袋状に保持されているので折り畳みが出来ない。
特許文献２は周方向のフレ−ムを有しているが地面に置いた時に形状が維持できず潰れてしまい、魚の出し入れがしにくい。
【特許文献１】実開昭５７−１２９３５５号公報
【特許文献２】実開平５−５３４７６号公報
【発明の開示】
【発明が解決しようとする課題】
【０００３】
解決しようとする問題点は、従来の魚入れは、上下フレ−ムと側面フレ−ムが連結されており地面に置いた時に潰れにくいが折り畳みしにくい。
また、周方向のフレ−ムのみを有している魚入れは地面に置いた時に形状が維持できず潰れてしまい、魚の出し入れがしにくいことである。
【０００４】
本発明の目的は前記欠点に鑑み、網状体でありながら地面に置いた時に潰れにくく、また、折り畳みが出来る釣り用魚入れを提供することである。
【課題を解決するための手段】
【０００５】
本発明の請求項１は、少なくとも上部フレ−ムを有し、網状体からなる釣り用魚入れの側面に上下方向に延びる側面フレ−ムを設け、前記側面フレ−ムは上部フレ−ムに間隙を有して配されていることを要旨とするものである。
本発明の請求項２は、側面フレ−ムは、可撓性を有し、かつ、網状体より硬く形成したことを要旨とするものである。
本発明の請求項３は、側面フレ−ムは魚入れ本体の内側に設けたことを要旨とするものである。
【発明の効果】
【０００６】
本発明の請求項１により、水中で使用しているとき、また、地面に置いたときに形が崩れることが防止され魚の出し入れがし易く、また、容易に折り畳むことが出来る。
本発明の請求項２により、側面フレ−ムは、可撓性を有し、かつ、網状体より硬く形成したことで、自立させることが出来ると共に折り畳むことが可能となった。
本発明の請求項３により、側面フレ−ムは魚入れ本体の内側に設けることで水中から引き上げるときに岩場に引っかかることが避けられる。
【発明を実施するための最良の形態】
【０００７】
魚入れ本体１は網状体αで丸形の円筒状に形成され、上面側に開口１ａを有し、蓋体２を開けた時魚の出し入れが出来るようになっている。
容器を構成する魚入れ本体１の網状体αは、合成樹脂繊維の網の表面を溶融させた合成樹脂又はゴムで被覆して表面層を形成し、柔軟性を有しているが繊維間のずれが生じないようになっている。
魚入れ本体１の側面１ｂには、上下に延びる複数の側面フレ−ム７が形成されている。
側面フレ−ム７は上部フレ−ム５と下部フレ−ム６に取り付けないで形成され上部フレ−ム５と下部フレ−ム６に対し間隙δ、εを有して配されている。
【実施例１】
【０００８】
以下、図示の実施例によって本発明を説明すると、図１から図７は第１実施例で、図１は釣り用魚入れの斜視図、図２は釣り用魚入れの平面図、図３は釣り用魚入れの側面図、図４は釣り用魚入れの他の側面図、図５は釣り用魚入れの要部拡大縦断面側面図、図６は釣り用魚入れの要部拡大横断面平面図、図７は釣り用魚入れが折り畳まれた側面図である。
【０００９】
釣り用魚入れＡは、網状体αからなる容器状の魚入れ本体１を有し、魚入れ本体１は網状体αで円筒状に形成され、上面側に丸形の開口１ａを有し、蓋体２を開けた時魚の出し入れが出来るようになっている。
また、この開口１ａは蓋体２で閉塞できるようになっており、蓋体２は一側がヒンジ部１０で開口１ａの外縁に折り曲げ可能に取り付けられ、周縁は開口１ａに沿ってチャック３で閉じることができるようになっている。
蓋体２は、上面２ａと下面２ｂが合成樹脂シ−ト１１で覆われその間に合成樹脂発泡体の浮力材１２が介在されている。
蓋体２上面２ａにはハンドル４が取り付けられ、更にハンドル４には吊り下げようのロ−プ１３が取り付けられている。
容器を構成する魚入れ本体１の網状体αは、合成樹脂繊維の網の表面を溶融させた合成樹脂又はゴムで被覆してこれを硬化させて表面層を形成し、柔軟性を有し折り曲げが可能であるが繊維間のずれが生じないようになっている。
魚入れ本体１の上端側の縁部β（側面と上面の境界部）と下端側の縁部γ（側面と下面の境界部）にそれぞれに環状に形成した上部フレ−ム５と下部フレ−ム６が設けられている。
【００１０】
これらのフレ−ム５、６はそれぞれの縁部β、γに沿って合成樹脂の芯材１４を添えてその上から合成樹脂シ−ト１５、１６で覆って網状体αに縫着部１７、１８で縫着されて形成されている。
前記チャック３は魚入れ本体１側の合成樹脂シ−ト１５と蓋体２の合成樹脂シ−ト１１に縫着等で固定されている。
魚入れ本体１の側面１ｂには、上下に延びる複数の側面フレ−ム７が形成されている。
側面フレ−ム７は、側面１ｂの網状体αを上下方向に沿って屈曲させてその屈曲部１ｃに沿ってこれを摘み上げるように合成樹脂シ−ト１９で覆って縫着部２０で縫着する。
この側面フレ−ム７は魚入れ本体１の側面１ｂの網状体αに取り付けられ、上部フレ−ム５と下部フレ−ム６には取り付けないように形成され上部フレ−ム５と下部フレ−ム６に対し間隙δ、εを有して配されている。
これら上部フレ−ム５、下部フレ−ム６、側面フレ−ム７は網状体αより硬く、屈曲しにくくなっているが、可撓性を有し、破損しにくくなっている。
魚入れ本体１の底面１ｄとする。
【００１１】
この釣り用魚入れＡを使用するときは、円筒状に広げて魚を入れ、ロ−プ１３で吊して水中に入れ魚入れ本体１が水中に沈んで、蓋体２を浮かせた状態で水面に漂うようにして魚を生かしておくことができる。
この状態で側面フレ−ム７があるため波によって容器の形が崩れにくく魚が弱ることが防止される。
また、釣り用魚入れＡを引き上げて地面に置いても側面フレ−ム７によって網状体αが上下方向に潰れにくくなり立ち上がった形状を維持しやすい。
さらに、この場合、側面フレ−ム７と上部フレ−ム５と下部フレ−ム６の間の網状体αは屈曲しても側面フレ−ム７の上端側と下端側がそれぞれ上部フレ−ム５と下部フレ−ム６に突き当たるか又は地面に当接して支えられるため側面フレ−ム７が倒れにくく地面に置いても広がった円筒形状を維持するため魚の出し入れがし易い。
なお、側面フレ−ム７によって円筒形状が維持できるため下部フレ−ム６は設けなくてもよい。
しかも、折り畳んで持ち運ぶときは、従来品のように側面フレ−ム７が上下フレ−ム５、６とつながっていないため容易に折り畳むことが出来る。
すなわち上下フレ−ム５、６を向い合わせ状にしたままそれぞれのフレ−ム５、６を互いに反対回り（反対方向）にひねると前記間隙δ、εの網状体αが折れ曲がって側面フレ−ム７が倒伏状態しなり釣り用魚入れＡの上面の蓋体２上面２ａと底面１ｄを向い合わせ状に接近させて折り畳むことができる。
【００１２】
この時前記間隙δ、εの網状体αが折り曲がって側面フレ−ム７が倒伏状態となることが従来品と異なり側面フレ−ム７が折り畳みを邪魔しないため折り畳みが容易になる。
なお、側面フレ−ム７は、魚入れ本体１の内側に形成したが、網状体αを外側に折り曲げてこれを合成樹脂シ−ト１９で覆うことで魚入れ本体１の外側に形成することも出来る。
また、側面フレ−ム７を金属や合成樹脂の棒体を取り付けて形成してもよい。
下部フレ−ム６の芯材１４は金属や合成樹脂の棒体としてもよい。
蓋体２に魚投入用の孔を設けて蓋で閉塞可能にしてもよい。
【００１３】
前記のように釣り用魚入れＡが構成されていると、水中で使用しているとき、また、地面に置いたときに形が崩れることが防止され魚の出し入れがし易く、また、容易に折り畳むことが出来る。
側面フレ−ム７は、可撓性を有し、かつ、網状体αより硬く形成したことで、自立させることが出来ると共に折り畳むことが可能となった。
側面フレ−ム７は魚入れ本体１の内側に設けることで水中から引き上げるときに岩場に引っかかることが避けられる。
なお、網状体αは通水性を有していればよく、シ−トに複数の通水孔を設けて形成してもよい。
また、側面フレ−ム７と上部フレ−ム５との間隙δは魚入れ本体１を折り畳んだ時、側面フレ−ム７が上部フレ−ム５に対し倒伏できるように設けられていればわずかでもよい。
また、側面フレ−ム７が上部フレ−ム５との間隙には網状体αが配されているが、網状体αを有しない空間であってもよい。
【実施例２】
【００１４】
図８から図１３は第２実施例で、図８は釣り用魚入れの斜視図、図９は釣り用魚入れの平面図、図１０は釣り用魚入れの側面図、図１１は釣り用魚入れの他の側面図、図１２は釣り用魚入れの要部拡大縦断面側面図、図１３は釣り用魚入れの要部拡大横断面平面図である。
【００１５】
第２実施例では、釣り用魚入れＢは、網状体αからなる容器状の魚入れ本体１′を有し、魚入れ本体１′は網状体αで長方形の箱状に形成され、上面側に開口１ｅを有し、蓋体２′を開けた時魚の出し入れが出来るようになっている。
また、この開口１ｅは蓋体２′で閉塞できるようになっており、蓋体２′は一側がヒンジ部１０で開口１ｅの外縁に折り曲げ可能に取り付けられ、周縁は開口１ｅに沿ってチャック３で閉じることができるようになっている。
蓋体２′は、合成樹脂製フレ−ム８の周囲が網状体αで覆われ、フレ−ム８にハンドル４が取り付けられ、更にハンドル４には吊り下げようのロ−プが取り付けられる。
魚入れ本体１′の上端側の縁部β（側面と上面の境界部）に環状に形成した上部フレ−ム５が設けられている。
魚入れ本体１′の長手方向の両端にＵ字形の側面フレ−ム９が形成され、側面フレ−ム９は上下に延びる一対のフレ−ムとこれを底部側で連結するフレ−ムからなっている。
側面フレ−ム９は、側面１ｆの網状体αをＵ字方向に沿って屈曲させてその屈曲部１ｇに沿ってこれを摘み上げるように合成樹脂シ−ト２１で覆って縫着部２２で縫着する。
この側面フレ−ム９は上部フレ−ム５に取り付けず、網状体α取り付けて形成され上部フレ−ム５との間に対し間隙δを有して配されている。
他の構成は前記第１実施例と略同一である。
【００１６】
第２実施例では長手方向の両端の短い幅にＵ字形の上下に延びる側面フレ−ム９が形成されたが、他の長手方向の長い側面に、Ｕ字形の縦方向の立ち上がり部分の間隔の幅が広い側面フレ−ムを形成してもよい。
【産業上の利用可能性】
【００１７】
本発明は釣り用魚入れ全般に利用できる。
【図面の簡単な説明】
【００１８】
【図１】第１実施例で、釣り用魚入れの斜視図である。
【図２】同釣り用魚入れの平面図である。
【図３】同釣り用魚入れの側面図である。
【図４】同釣り用魚入れの他の側面図である。
【図５】同釣り用魚入れの要部拡大縦断面側面図である。
【図６】同釣り用魚入れの要部拡大横断面平面図である。
【図７】同釣り用魚入れが折り畳まれた側面図である。
【図８】第２実施例で、釣り用魚入れの斜視図である。
【図９】同釣り用魚入れの平面図である。
【図１０】同釣り用魚入れの側面図である。
【図１１】同釣り用魚入れの他の側面図である。
【図１２】同釣り用魚入れの要部拡大縦断面側面図である。
【図１３】同釣り用魚入れの要部拡大横断面平面図である。
【符号の説明】
【００１９】
Ａ、Ｂ  釣り用魚入れ
１、１′  魚入れ本体
１ｂ、１ｆ  側面
５  上部フレ−ム
６  下部フレ−ム
７、９  側面フレ−ム
α  網状体
δ、ε  間隙
【図１】
2007060971.tif 000003
【図２】
2007060971.tif 000004
【図３】
2007060971.tif 000005
【図４】
2007060971.tif 000006
【図５】
2007060971.tif 000007
【図６】
2007060971.tif 000008
【図７】
2007060971.tif 000009
【図８】
2007060971.tif 000010
【図９】
2007060971.tif 000011
【図１０】
2007060971.tif 000012
【図１１】
2007060971.tif 000013
【図１２】
2007060971.tif 000014
【図１３】
2007060971.tif 000015